(57)【要約】【課題】  種々の機器を機能的に整理してスッキリとしたシンプルなデザインに形成した浴室収納セットを提供する。【解決手段】  浴室１の壁４の表面に、縦桟７，７，７と横桟６，６，６を四角升目状に組み、四角升目状に組まれた升目Ｍ内に、鏡８や照明１５を設けて収納セット５を構成する。【選択図】  図１
2005052580.tif 000002
【特許請求の範囲】
【請求項１】
浴室の壁表面に棚板を、少なくとも面一の縦桟と横桟を有する四角升目状に組み、四角升目状に組まれた升目の中に鏡を設けたことを特徴とする浴室収納セット。
【請求項２】
前記鏡を手前に出して前記桟の前面と略面一とし、該鏡の裏に空間を形成させたことを特徴とする請求項１に記載の浴室収納セット。
【請求項３】
鏡横の縦桟に、角度調節可能なシャワーフックを設けたことを特徴とする請求項１に記載の浴室収納セット。
【請求項４】
前記縦桟の位置に握りバーを設けたことを特徴とする請求項１に記載の浴室収納セット。
【請求項５】
前記升目の中に照明を覆う透光カバーを、前記鏡と面一に設けたことを特徴とする請求項１に記載の浴室収納セット。
【請求項６】
前記鏡の裏の空間に間接照明を内蔵し、該間接照明部分の棚板を透明、または半透明にしたことを特徴とする請求項２に記載の浴室収納セット。
【請求項７】
背板が存在しないことを特徴とする請求項１に記載の浴室収納セット。
【発明の詳細な説明】
【技術分野】
【０００１】
この発明は、浴室内に設置される収納セットに関するものである。
【背景技術】
【０００２】
従来、浴室内の壁には、鏡，水栓，収納棚，握りバー，照明等の器具がそれぞれ独立して設けられていた。
【特許文献１】特開昭５６−１２２４５３号公報
【発明の開示】
【発明が解決しようとする課題】
【０００３】
従来では、鏡，水栓等が独立して雑然と浴室内に設けられているため、デザイン上スッキリとせず、また、掃除もしにくい配置であった。
【課題を解決するための手段】
【０００４】
本発明は上記従来の問題点に鑑み案出したものであって、スッキリとしたシンプルなデザインとなり、掃除もし易くなる浴室収納セットを提供するものであり、請求項１では、浴室の壁表面に棚板を、少なくとも面一の縦桟と横桟を有する四角升目状に組み、四角升目状に組まれた升目の中に鏡を設けたことである。
また、請求項２では、前記鏡を手前に出して前記桟の前面と略面一とし、該鏡の裏に空間を形成させたことである。
また、請求項３では、鏡横の縦桟に、角度調節可能なシャワーフックを設けたことである。
また、請求項４では、前記縦桟の位置に握りバーを設けたことである。
また、請求項５では、前記升目の中に照明を覆う透光カバーを、前記鏡と面一に設けたことである。
また、請求項６では、前記鏡の裏の空間に間接照明を内蔵し、該間接照明部分の棚板を透明、または半透明にしたことである。
また、請求項７では、背板が存在しないことである。
【発明の効果】
【０００５】
浴室の壁表面に、面一の縦桟と横桟を有する四角升目状に組み、升目の中に鏡を設けたことにより、収納セット内に鏡を一体感を持たせて整然とレイアウトすることができ、スッキリとしたシンプルなデザインとなる。
また、四角升目状とすることにより、収納セットの上面にも物を置くことができるものとなる。
また、四角升目状で装飾的にもスッキリとした外観を呈することとなる。
【０００６】
また、鏡を手前に出し桟の前面と略面一とし、鏡の裏に空間を形成させたことにより、水栓の配管接続部、および水栓の本体機構部を鏡の裏面に隠すことができ、しかも、配管接続部の空間を広く取ることができるため、水栓の設計の自由度が高くなり、水栓回りをスッキリとさせることができる。
【０００７】
また、鏡横の縦桟に、角度調節可能なシャワーフックを設けたことにより、シャワーフックを収納セットの一部として、違和感なく設けることができ、スッキリとした外観を保ちつつ、シャワーヘッドを良好に角度調節することができて、使い勝手が向上するものとなる。
【０００８】
また、縦桟の位置に握りバーを設けたことにより、四角升目状のイメージを保ちながら、違和感なく握りバーを収納セットと一体化させることができ、握りバーを使わない時でも、スッキリとした外観を呈することができる。
【０００９】
また、升目の中に照明を覆う透光カバーを鏡と面一に設けたことにより、升目のイメージを保ちながら、違和感なく照明を取り付けることができ、升目の一つが光るように見せることができて、スッキリとした外観となる。
【００１０】
また、鏡の裏の空間に間接照明を内蔵し、間接照明部分の棚板を透明、または半透明にしたことにより、間接照明のための特別なシェードを設けることなく、鏡裏面のスペースを有効に利用して、演出効果のある間接照明とすることができ、またフェイスライトとして、適切な位置にスッキリとして設けることができるものとなる。
【００１１】
また、背板が存在しないことにより、収納セットを安価なものとすることができ、しかも浴室内への搬入が容易となり、浴室内で容易に四角升目状に組み立て施工できるものとなる。
【実施例】
【００１２】
以下、本発明の実施例を図面に基づいて説明する。
図１は、浴室内の斜視構成図であり、浴室１には浴槽２と洗い場３が設けられており、浴室の壁４の表面には、洗い場３から浴槽２側に亘って収納セット５が設置されている。
この収納セット５は、複数枚の横桟６，６，６と、複数枚の縦桟７，７を壁４の表面で四角升目状に組み付けて構成されており、横桟６および縦桟７の幅長は、約１００mm程度に設定されている。
複数の横桟６と複数の縦桟７を四角升目状に組み付けて、その表面側を面一状にして壁４の表面に複数の四角い升目Ｍ，Ｍ，Ｍを形成させ、この各升目Ｍ内に備品等を収納できるものである。
【００１３】
なお、横桟６には荷重が加わるために、各横桟６は壁４に固定状に設置されており、一方、縦桟７は着脱可能に構成されており、縦桟７には、横桟６に嵌まり込む溝等が形成されている。
縦桟７を取り外すことにより、横方向に長い升目Ｍを形成させることができ、また、縦桟７を取り外して、容易かつ良好に掃除することができるものとなる。
【００１４】
また、収納セット５内の図示右側部位には、鏡８が設けられ、この鏡８は手前に出してあり、横桟６と縦桟７の表面側にほぼ面一状に設置され、複数の升目Ｍと一体感をなしている。
鏡８の裏側は１００mm程度の厚みの空間となっており、この空間内には間接照明用のランプ１１を設けておくことができ、また、鏡８の下端の裏側には、水栓９を、本体機構部を隠蔽させて設けておくことができ、水栓９の吐水口やハンドルのみを鏡８の下端から下方へ突出させ、スッキリと配置させることができるものである。
【００１５】
なお、水栓９を操作するために、鏡８の下端側にタッチスイッチ１０を設けておくこともできる。
なお、鏡８の裏側に照明ランプ１１を設けた場合には、鏡８の周囲を構成する横桟６および縦桟７を、透明または半透明としておけば、良好な間接照明が形成されるものとなり、洗い場３で着座した使用者の顔を照らすフェイスライトとしても良好に活用することができるものとなる。
【００１６】
また、鏡８の右側方の収納セット５の外枠を形成する縦桟７には、水平状に突出してシャワーフック１２，１２が高さの異なる２段状に設けられている。
それぞれのシャワーフック１２，１２は、縦桟７に対して回動できるように取り付けられており、何れかのシャワーフック１２に、シャワーホース１３の先端のシャワーヘッド１４を掛止することができ、しかも掛止した状態で、シャワーフック１２を適宜回動させて、シャワーヘッド１４の角度を調節できるように構成されており、シャワーヘッド１４の角度を適宜調節して、シャワー水の噴出角度を良好に変更させることができ、使用勝手が良好なものとなる。
【００１７】
なお、本例では、収納セット５内の縦桟７の位置に、握りバー１６が、その上端から下端までを通した状態で一体感を成して取り付けられている。
この握りバー１６は、例えば四角形断面や丸断面形状のもので構成することで、使用しない時でも升目Ｍの構成部材となり、収納セット５内に違和感なく配置されるものである。
なお、使用する時には、この握りバー１６を手で握って、洗い場３から浴槽２内に入ることができ、また逆に、浴槽２から洗い場３に出る時等に、身体を支えるために良好に使用できるものである。
【００１８】
また、収納セット５内の図示左端側の上部には、升目Ｍ内に照明１５が設けられ、照明を覆う透光カバーが鏡８と面一に設けられており、良好な浴室内照明として使用することができ、照明１５は升目Ｍと違和感なく一体感を成して、スッキリとした状態で設置できるものである。
なお、本例の収納セット５は、複数の横桟６と複数の縦桟７を四角升目状に組み立てたものであり、背板が存在しないために、安価に組み立てることができ、しかも浴室１内へはバラバラにして容易に搬入することができるものである。
なお、背板を設けた場合には、収納セット５全体の強度が増すものとなる。
【００１９】
次に、図２は収納セットの変更例を示すものであり、図２の収納セット５は、洗い場３側の壁４に設けられており、横桟６と縦桟７を四角升目状に組み付けて構成したものであり、収納セット５内の右側部位には鏡８が設けられている。
このように四角升目状に組み立てた収納セット５においては、その上面の横桟６上にも良好にシャンプー１７，１７等を置くことができ、収納量を十分に確保できるものとなる。
【００２０】
次に、図３では更に異なる変更例を示すものであり、図３では、横桟６と縦桟７を四角升目状に組み立てて、対角線状の升目Ｍに、鏡８と照明１５を設けたものである。
なお、このような収納セット５は、図４に示すように、浴槽２側の壁面４に設けても良い。
【図面の簡単な説明】
【００２１】
【図１】収納セットの設置状態の浴室内の斜視構成図である。
【図２】異なる収納セットを設置した浴室内の斜視構成図である。
【図３】更に異なる収納セットを設置した浴室内の斜視構成図である。
【図４】収納セットの配置位置を変更した場合の浴室内の斜視構成図である。
【符号の説明】
【００２２】
１  浴室
２  浴槽
３  洗い場
４  壁
５  収納セット
６  横桟
７  縦桟
８  鏡
９  水栓
１１  間接照明ランプ
１２  シャワーフック
１４  シャワーヘッド
１５  照明
１６  握りバー
Ｍ  升目
【図１】
2005052580.tif 000003
【図２】
2005052580.tif 000004
【図３】
2005052580.tif 000005
【図４】
2005052580.tif 000006